(57)【要約】【課題】  共振器同士の結合調整と小型化とが容易で、かつ導体損失を少なくすることができるようにした共振器を提供する。【解決手段】  ２つの１／４波長共振器１，２を構成する各線路の短絡側の線路部分が共通線路部分２２として共通化され、その共通線路部分２２で各１／４波長共振器１，２同士が結合されている。線路の一部が共通化されていることにより、小型化が容易となる。また、結合による導体損失も少ない。共通線路部分２２の長さｘを調整することで容易に結合調整を行うことができる。【選択図】      図１
2006270508.tif 000002
【特許請求の範囲】
【請求項１】
ＴＥＭ線路により構成された共振器であって、
互いに独立して形成されると共に、一端が開放端とされた複数の独立線路部分と、
前記各独立線路部分の他端同士を接続する接続用線路部分と、
前記接続用線路部分を介して前記各独立線路部分を共通に接地接続する共通線路部分と
を備え、
全体として２以上の１／４波長共振器同士が結合された構成とされている
ことを特徴とする共振器。
【請求項２】
前記複数の独立線路部分の少なくとも１つの開放端にコンデンサ電極が形成されている
ことを特徴とする請求項１に記載の共振器。
【請求項３】
全体として２以上の１／４波長共振器同士が結合された構成とされている第１の１／４波長共振器部分と、
全体として前記第１の１／４波長共振器部分と同じ数の１／４波長共振器同士が結合された構成とされている第２の１／４波長共振器部分とを有し、
前記第１の１／４波長共振器部分の開放端と前記第２の１／４波長共振器部分の開放端とが互いに接続され、全体として２以上の両端短絡型の１／２波長共振器同士が結合された構成とされている
ことを特徴とする請求項１または２に記載の共振器。
【請求項４】
ＴＥＭ線路により構成された共振器であって、
互いに独立して形成されると共に、一端が開放端とされた複数の独立線路部分を有する第１の独立線路群と、
前記第１の独立線路群における前記各独立線路部分の他端同士を接続する第１の接続用線路部分と、
互いに独立して形成されると共に、一端が開放端とされた複数の独立線路部分を有する第２の独立線路群と、
前記第２の独立線路群における前記各独立線路部分の他端同士を接続する第２の接続用線路部分と、
前記第１および第２の接続用線路部分を介して前記第１の独立線路群の各独立線路部分の他端と前記第１の独立線路群の各独立線路部分の他端とを共通接続する共通線路部分と
を備え、
全体として２以上の両端開放型の１／２波長共振器同士が結合された構成とされている
ことを特徴とする共振器。
【請求項５】
前記第１および第２の独立線路群における各独立線路部分の少なくとも１つの開放端にコンデンサ電極が形成されている
ことを特徴とする請求項４に記載の共振器。
【請求項６】
前記１／２波長共振器における等価的に短絡となる短絡部分を境界として、前記第１の独立線路群側の線路部分と前記第２の独立線路群側の線路部分とが、前記短絡部分を含む線または面に対し、互いに線対称または面対称な構造とされている
ことを特徴とする請求項４または５に記載の共振器。
【請求項７】
前記２以上の両端開放型の１／２波長共振器のうちの１つの共振器に接続されると共に、平衡信号が入力される一対の平衡入力用導体と、
前記２以上の両端開放型の１／２波長共振器のうちの他の共振器に接続されると共に、平衡信号を出力する一対の平衡出力用導体とをさらに備え、
前記一対の平衡入力用導体のうち一方の導体が前記第１の独立線路群側の線路部分に接続されると共に、他方の導体が前記第２の独立線路群側の線路部分に接続され、かつ前記一方の導体と前記他方の導体とが前記短絡部分を含む線または面に対し互いに線対称または面対称な位置に接続され、
前記一対の平衡出力用導体のうち一方の導体が前記第１の独立線路群側の線路部分に接続されると共に、他方の導体が前記第２の独立線路群側の線路部分に接続され、かつ前記一方の導体と前記他方の導体とが前記短絡部分を含む線または面に対し互いに線対称または面対称な位置に接続されている
ことを特徴とする請求項６に記載の共振器。
【請求項８】
前記１／２波長共振器における等価的に短絡となる短絡部分を境界として、前記第１の独立線路群側の線路部分と前記第２の独立線路群側の線路部分とが、互いに前記短絡部分内の点を回転中心とした回転対称な構造とされている
ことを特徴とする請求項４または５に記載の共振器。
【請求項９】
前記２以上の両端開放型の１／２波長共振器のうちの１つの共振器に接続されると共に、平衡信号が入力される一対の平衡入力用導体と、
前記２以上の両端開放型の１／２波長共振器のうちの他の共振器に接続されると共に、平衡信号を出力する一対の平衡出力用導体とをさらに備え、
前記一対の平衡入力用導体のうち一方の導体が前記第１の独立線路群側の線路部分に接続されると共に、他方の導体が前記第２の独立線路群側の線路部分に接続され、かつ前記一方の導体と前記他方の導体とが互いに前記短絡部分内の点を回転中心とした回転対称な位置に接続され、
前記一対の平衡出力用導体のうち一方の導体が前記第１の独立線路群側の線路部分に接続されると共に、他方の導体が前記第２の独立線路群側の線路部分に接続され、かつ前記一方の導体と前記他方の導体とが互いに前記短絡部分内の点を回転中心とした回転対称な位置に接続されている
ことを特徴とする請求項８に記載の共振器。
【発明の詳細な説明】
【技術分野】
【０００１】
本発明は、ストリップ線路などのＴＥＭ（Transverse Electro Magnetic）線路を用いて構成された共振器に関する。
【背景技術】
【０００２】
ＴＥＭ線路とは、電界および磁界が共に電磁波の進行方向に垂直な断面内にのみ存在する電磁波（ＴＥＭ波）を伝送する伝送線路である。一般にＴＥＭ線路を結合させる手法として、コムライン結合とインターディジタル結合との２種類を挙げることができる。一例として、ＴＥＭ線路で構成された１／４波長共振器をコムライン結合させた場合の構成を図２４に、インターディジタル結合させた場合の構成を図２５に模式的に示す。
【０００３】
コムライン結合とは、図２４に示したように、一方の共振器１０１の開放（オープン）端１０１Ａと他方の共振器１０２の開放端１０２Ａとが対向し、一方の共振器１０１の短絡（ショート）端と他方の共振器１０２の短絡端とが対向するように共振器１０１，１０２が配置された構造となる結合方法である。インターディジタル結合とは、図２５に示したように、一方の共振器１０１の開放端１０１Ａと他方の共振器１０２の短絡端とが対向し、一方の共振器１０１の短絡端と他方の共振器１０２の開放端１０２Ａとが対向するように共振器１０１，１０２が配置された構造となる結合方法である。
【０００４】
インターディジタル結合は、コムライン結合に比べて結合が強い。このためインターディジタル結合は、結合が強すぎて結合調整が難しいという問題がある。コムライン結合は、結合が弱すぎて十分な結合が取れない場合がある。また、共振器を集中定数化して小型化した場合も、エネルギーが素子に溜まってしまい、隣の共振器と結合しなくなってしまう場合がある。これらの問題を解決する手段として、特許文献１には、複数の共振器を構成する各ストリップ線路間を導体パターンで接続する構造が提案されている。
【特許文献１】特開２０００−２５２７０４号公報
【発明の開示】
【発明が解決しようとする課題】
【０００５】
しかしながら、特許文献１に記載の構造は、共振器を構成するストリップ線路とは別に結合用の導体パターンを設ける構造のため、全体として導体スペースが多く必要となり、小型化に向かないし、導体損失も多くなってしまうという問題がある。
【０００６】
本発明はかかる問題点に鑑みてなされたもので、その目的は、共振器同士の結合調整と小型化とが容易で、かつ導体損失を少なくすることができるようにした共振器を提供することにある。
【課題を解決するための手段】
【０００７】
本発明の第１の観点に係る共振器は、ＴＥＭ線路により構成された共振器であって、互いに独立して形成されると共に、一端が開放端とされた複数の独立線路部分と、各独立線路部分の他端同士を接続する接続用線路部分と、接続用線路部分を介して各独立線路部分を共通に接地接続する共通線路部分とを備え、全体として２以上の１／４波長共振器同士が結合された構成とされているものである。
【０００８】
本発明の第１の観点に係る共振器では、２以上の１／４波長共振器を構成する各線路の短絡側の線路部分が共通線路部分として共通化され、その共通線路部分で２以上の１／４波長共振器同士が結合される。線路の一部が共通化されていることにより、小型化が容易となり、また、結合による導体損失も少ない。また、接続用線路部分または共通線路部分の長さを調整することで容易に結合調整が行える。
【０００９】
本発明の第１の観点に係る共振器において、複数の独立線路部分の少なくとも１つの開放端にコンデンサ電極が形成されていても良い。
この場合、コンデンサ電極を形成することで共振周波数が低くなる。一方で、共振器は実効的な長さが短いほど共振周波数が高くなる。従って、コンデンサ電極を形成しない場合の共振周波数に合わせるとすれば、コンデンサ電極を形成することで共振器の物理的な長さを小さくすることができ、より小型化に有利となる。
【００１０】
また、本発明の第１の観点に係る共振器において、全体として２以上の１／４波長共振器同士が結合された構成とされている第１の１／４波長共振器部分と、全体として第１の１／４波長共振器部分と同じ数の１／４波長共振器同士が結合された構成とされている第２の１／４波長共振器部分とを有し、第１の１／４波長共振器部分の開放端と第２の１／４波長共振器部分の開放端とが互いに接続された構造であっても良い。そして、全体として２以上の両端短絡型の１／２波長共振器同士が結合された構成とされていても良い。
この場合、２以上の両端短絡型の１／２波長共振器を構成する各線路の短絡側の線路部分が共通線路部分として共通化され、その共通線路部分で２以上の１／２波長共振器同士が結合される。線路の一部が共通化されていることにより、小型化が容易となり、また、結合による導体損失も少ない。また、接続用線路部分または共通線路部分の長さを調整することで容易に結合調整が行える。
【００１１】
本発明の第２の観点に係る共振器は、ＴＥＭ線路により構成された共振器であって、互いに独立して形成されると共に、一端が開放端とされた複数の独立線路部分を有する第１の独立線路群と、第１の独立線路群における各独立線路部分の他端同士を接続する第１の接続用線路部分と、互いに独立して形成されると共に、一端が開放端とされた複数の独立線路部分を有する第２の独立線路群と、第２の独立線路群における各独立線路部分の他端同士を接続する第２の接続用線路部分と、第１および第２の接続用線路部分を介して第１の独立線路群の各独立線路部分の他端と第１の独立線路群の各独立線路部分の他端とを共通接続する共通線路部分とを備え、全体として２以上の両端開放型の１／２波長共振器同士が結合された構成とされているものである。
【００１２】
本発明の第２の観点に係る共振器では、２以上の両端開放型の１／２波長共振器を構成する各線路において、等価的に短絡となる短絡部分側の線路部分が共通線路部分として共通化され、その共通線路部分で２以上の１／２波長共振器同士が結合される。線路の一部が共通化されていることにより、小型化が容易となり、また、結合による導体損失も少ない。また、接続用線路部分または共通線路部分の長さを調整することで容易に結合調整が行える。
【００１３】
本発明の第２の観点に係る共振器において、第１および第２の独立線路群における各独立線路部分の少なくとも１つの開放端にコンデンサ電極が形成されていても良い。
この場合、コンデンサ電極を形成することで共振周波数が低くなる。一方で、共振器は実効的な長さが短いほど共振周波数が高くなる。従って、コンデンサ電極を形成しない場合の共振周波数に合わせるとすれば、コンデンサ電極を形成することで共振器の物理的な長さを小さくすることができ、より小型化に有利となる。
【００１４】
また、本発明の第２の観点に係る共振器において、１／２波長共振器における等価的に短絡となる短絡部分を境界として、第１の独立線路群側の線路部分と第２の独立線路群側の線路部分とが、短絡部分を含む線または面に対し、互いに線対称または面対称な構造とされていても良い。
この場合において、２以上の両端開放型の１／２波長共振器のうちの１つの共振器に接続されると共に、平衡信号が入力される一対の平衡入力用導体と、２以上の両端開放型の１／２波長共振器のうちの他の共振器に接続されると共に、平衡信号を出力する一対の平衡出力用導体とをさらに備えていても良い。この場合、一対の平衡入力用導体のうち一方の導体が第１の独立線路群側の線路部分に接続されると共に、他方の導体が第２の独立線路群側の線路部分に接続され、かつ一方の導体と他方の導体とが短絡部分を含む線または面に対し互いに線対称または面対称な位置に接続されていることが好ましい。また、一対の平衡出力用導体のうち一方の導体が第１の独立線路群側の線路部分に接続されると共に、他方の導体が第２の独立線路群側の線路部分に接続され、かつ一方の導体と他方の導体とが短絡部分を含む線または面に対し互いに線対称または面対称な位置に接続されていることが好ましい。
これにより、小型化の図られた例えば平衡入出力のフィルタを容易に実現できる。
【００１５】
また、本発明の第２の観点に係る共振器において、１／２波長共振器における等価的に短絡となる短絡部分を境界として、第１の独立線路群側の線路部分と第２の独立線路群側の線路部分とが、互いに短絡部分内の点を回転中心とした回転対称な構造とされていても良い。
この場合において、２以上の両端開放型の１／２波長共振器のうちの１つの共振器に接続されると共に、平衡信号が入力される一対の平衡入力用導体と、２以上の両端開放型の１／２波長共振器のうちの他の共振器に接続されると共に、平衡信号を出力する一対の平衡出力用導体とをさらに備えていても良い。この場合、一対の平衡入力用導体のうち一方の導体が第１の独立線路群側の線路部分に接続されると共に、他方の導体が第２の独立線路群側の線路部分に接続され、かつ一方の導体と他方の導体とが互いに短絡部分内の点を回転中心とした回転対称な位置に接続されていることが好ましい。また、一対の平衡出力用導体のうち一方の導体が第１の独立線路群側の線路部分に接続されると共に、他方の導体が第２の独立線路群側の線路部分に接続され、かつ一方の導体と他方の導体とが互いに短絡部分内の点を回転中心とした回転対称な位置に接続されていることが好ましい。
これによっても、小型化の図られた例えば平衡入出力のフィルタを容易に実現できる。
【発明の効果】
【００１６】
本発明の第１の観点に係る共振器によれば、２以上の１／４波長共振器を構成する各線路の短絡側の線路部分を共通線路部分として共通化し、その共通線路部分で２以上の１／４波長共振器同士を結合するようにしたので、共振器同士の結合調整と小型化とが容易となり、かつ導体損失を少なくすることができる。
【００１７】
本発明の第１の観点に係る共振器において、特に、第１の１／４波長共振器部分の開放端と第２の１／４波長共振器部分の開放端とを互いに接続した構造とした場合には、２以上の両端短絡型の１／２波長共振器を構成する各線路の短絡側の線路部分を共通線路部分として共通化し、その共通線路部分で２以上の１／２波長共振器同士を結合した構造となるので、両端短絡型の１／２波長共振器同士を結合する場合において共振器同士の結合調整と小型化とが容易となり、かつ導体損失を少なくすることができる。
【００１８】
本発明の第２の観点に係る共振器によれば、第１および第２の接続用線路部分を介して第１の独立線路群の各独立線路部分の他端と第１の独立線路群の各独立線路部分の他端とを共通線路部分で共通接続し、全体として２以上の両端開放型の１／２波長共振器同士が結合された構成にしたので、両端開放型の１／２波長共振器同士を結合する場合において共振器同士の結合調整と小型化とが容易となり、かつ導体損失を少なくすることができる。
【発明を実施するための最良の形態】
【００１９】
以下、本発明の実施の形態について図面を参照して詳細に説明する。
［第１の実施の形態］
【００２０】
まず、本発明の第１の実施の形態に係る共振器について説明する。図１は本実施の形態に係る共振器の基本構成を示している。この共振器はＴＥＭ線路により構成され、全体として２つの１／４波長共振器１，２同士が結合された構成とされている。この共振器は、互いに独立して形成され一端が開放端とされた第１および第２の独立線路部分１１，１２と、各独立線路部分１１，１２の他端同士を接続する接続用線路部分２１と、接続用線路部分２１を介して各独立線路部分１１，１２を共通に接地接続（短絡）する共通線路部分２２とを備えている。各線路部分はＴＥＭ線路であれば良く、ストリップラインなどの導体パターンや誘電体基板内部に形成された貫通導体などで構成することができる。
【００２１】
第１の独立線路部分１１は第１の１／４波長共振器１の開放端側の線路を構成し、第２の独立線路部分１２は第２の１／４波長共振器２の開放端側の線路を構成している。第１の１／４波長共振器１の短絡端側の線路と第２の１／４波長共振器２の短絡端側の線路とが共通線路部分２２とされ、共通化されている。第１の独立線路部分１１の開放端から共通線路部分２２の短絡端までの長さＬは１／４波長（λ／４）とされている。第２の独立線路部分１２の開放端から共通線路部分２２の短絡端までの長さＬも１／４波長（λ／４）とされている。
【００２２】
ここで、図１では開放端側が全体的にＵ字状の構造とされているが、これに限らず、例えば図２（Ａ）に示したようにＹ字状の構造であっても、図２（Ｂ）に示したようにＴ字状の構造であっても良い。さらに、図１および図２（Ａ），（Ｂ）では、中心線１０を境界として、第１の１／４波長共振器１側の線路と第２の１／４波長共振器２側の線路とが左右対称的な構造とされているが、必ずしも左右対称的な構造となっている必要はない。例えば図３に示したように、中心線１０に対し左右非対称な構造であっても良い。すなわち、各共振器部分の実効的な長さＬがλ／４に保たれている限りにおいて、開放端側は任意の形状にすることができる。
【００２３】
次に、この共振器の作用を説明する。
この共振器では、２つの１／４波長共振器１，２を構成する各線路の短絡側の線路部分が共通線路部分２２として共通化され、その共通線路部分２２で各１／４波長共振器１，２同士が結合される。線路の一部が共通化されていることにより、小型化が容易となる。また、結合による導体損失も少ない。また、以下で説明するように共通線路部分２２の長さｘを調整することで容易に結合調整が行える。
【００２４】
簡単のため、図４（Ａ）に示したように左右対称構造とされている場合について考える。左右対称構造の場合、その共振構造は、共通線路部分２２における対称面２２Ｃを開放状態にした偶モードの共振器（図４（Ｂ））と、対称面２２Ｃを短絡状態にした奇モードの共振器（図４（Ｃ））との二つに分離して考えることができる。ここで、偶モードでの共振周波数をｆｅ、奇モードでの共振周波数をｆｏとすると、その結合係数ｋは、
ｋ＝２｜ｆｅ−ｆｏ｜／（ｆｅ＋ｆｏ）
となり、各モードの共振周波数の差に比例する。
【００２５】
ここで、共通線路部分２２の長さをｘとすると、短絡状態にした共振器では、その実効的な物理長はＬ−ｘとなり、開放状態にした共振器に比べて長さｘ分だけ実効的な物理長が短くなっていることがわかる。すなわち、ｘの長さを長くすればするほど、奇モードでの実効的な物理長が短くなり、共振周波数ｆｅが高くなる。つまり、偶モードの共振周波数ｆｏとの差が大きくなる。これは結果的に、長さｘを調整することによって結合の度合いを自在に調整することができることを意味する。すなわち、共通線路部分２２を長くすればするほどｘが長くなるので、結合は強くなる。
【００２６】
以上説明したように、この共振器によれば、各１／４波長共振器１，２を構成する各線路の短絡側の線路部分を共通線路部分２２として共通化し、その共通線路部分２２で各１／４波長共振器１，２同士を結合するようにしたので、各１／４波長共振器１，２同士の結合調整と小型化とが容易となり、かつ導体損失を少なくすることができる。
＜具体的な構成例＞
【００２７】
図５は、この共振器の第１の具体的な構成例を示している。この共振器は、誘電体材料よりなる誘電体基板３１と、誘電体基板３１の一方の面側（下面側）に全体的に積層された導体層３２とを備えている。導体層３２は、接地層として設けられている。誘電体基板３１の他方の面側（上面側）には、導体の線路パターンよりなるストリップラインを備えている。このストリップラインにより１／４波長共振器１，２の各線路部分が形成されている。共通線路部分２２を構成するストリップラインは、貫通導体４３により接地層である導体層３２に短絡されている。第１の独立線路部分１１を構成するストリップラインには、入力用導体４１が接続されている。第２の独立線路部分１２を構成するストリップラインには、出力用導体４２が接続されている。入力用導体４１を介して不平衡信号が入力され、出力用導体４２を介して不平衡信号が出力される。
【００２８】
図６は、第２の具体的な構成例を示している。図５では、共通線路部分２２を貫通導体４３により導体層３２に短絡した構造としたが、図６では貫通導体４３に代えて導体パターン４４により側面方向から導体層３２に短絡した構造としたものである。導体パターン４４は、共通線路部分２２を構成するストリップラインを誘電体基板３１の１つの側面において延在形成したものである。その他の構成は図５と同様である。
【００２９】
図７は、第３の具体的な構成例を示している。これは、誘電体基板３１を多層構造として、その内部に導体の線路パターンを形成し、これにより１／４波長共振器１，２の各線路部分と入力用導体４１および出力用導体４２とを形成したものである。内部に導体の線路パターンを形成したことを除き、基本的には図５と同じ構造である。なお、入力用導体４１は、誘電体基板３１の任意の側面方向に延在し、その側面において入力端が表出している。出力用導体４２は、誘電体基板３１の任意の側面方向に延在し、その側面において出力端が表出している。なお、上面にも接地層としての導体層を設け、共通線路部分２２を上下の導体層に短絡するようにしても良い。
【００３０】
図８（Ａ），（Ｂ）は、第４の具体的な構成例を示している。これは信号の入出力部分にコンデンサ電極５１，５２を配置し、容量結合により信号の入出力を行うようにしたものである。信号の入出力部分以外の基本的な構造は図７と同様であり、誘電体基板３１を多層構造として、その内部に導体の線路パターンとコンデンサ電極５１，５２とが形成されている。なお、上面にも接地層としての導体層３３を設け、共通線路部分２２を上下の導体層に短絡した構成とされている。コンデンサ電極５１は、入力用導体４１の一端に接続されると共に第１の独立線路部分１１に対向するように配置されている。コンデンサ電極５２は、出力用導体４２の一端に接続されると共に第２の独立線路部分１２に対向するように配置されている。コンデンサ電極５１，５２と第１および第２の独立線路部分１１，１２を構成する導体パターンとの間は、図８（Ｂ）に示したように誘電体層を挟み込むように所定間隔を空けて対向配置されている。
【００３１】
以上に示した各構成例は、例えば誘電体フィルタとして利用することができる。
［第１の実施の形態の変形例］
【００３２】
次に、本実施の形態に係る共振器の変形例を説明する。
＜第１の変形例＞
【００３３】
図９は、第１の変形例に係る共振器の基本構成を示している。この変形例は、２つの１／４波長共振器１，２の開放端、すなわち各独立線路部分１１，１２の開放端に、他の線路部分の幅よりも大きい幅を有するコンデンサ電極１１Ｃ，１２Ｃを形成したものである。なお、１つの開放端にのみコンデンサ電極が形成された構成であっても良い。
【００３４】
実効的な長さＬを同じにした場合、コンデンサ電極１１Ｃ，１２Ｃを形成することで１／４波長共振器１，２の共振周波数は低くなる。一方で、１／４波長共振器１，２は実効的な長さＬが短いほど共振周波数が高くなる。従って、コンデンサ電極１１Ｃ，１２Ｃを形成しない場合の共振周波数に合わせるとすれば、すなわち、図１の構成と比べて共振周波数を変化させない構成にするとすれば、コンデンサ電極１１Ｃ，１２Ｃを形成することで共振器としての実効的な長さＬを短くすることができる（Ｌ＜λ／４とすることができる）。これにより、より小型化が可能となる。
【００３５】
図１０は、図９に示した共振器の具体的な構成例を示している。この共振器は、誘電体材料よりなる誘電体基板３１と、誘電体基板３１の両面に全体的に積層された導体層３２，３３とを備えている。導体層３２，３３は、接地層として設けられている。誘電体基板３１は多層構造とされ、その内部に導体の線路パターンと貫通導体とを形成し、これによりコンデンサ電極１１Ｃ，１２Ｃを含む１／４波長共振器１，２の各線路部分と入力用導体４１および出力用導体４２とが形成されている。
【００３６】
共通線路部分２２を構成する導体パターンは、誘電体基板３１内部のほぼ中央に形成され、誘電体基板３１の１つの側面方向に延在している。その１つの側面には、導体パターン４４が形成され、これにより側面方向から接地層である上下の導体層３２，３３に短絡した構造とされている。共通線路部分２２の内部側の端部には貫通導体が接続され、この貫通導体を介して上下にコンデンサ電極１１Ｃ，１２Ｃが形成されている。コンデンサ電極１１Ｃは上面の導体層３３に対向するように配置され、コンデンサ電極１２Ｃは下面の導体層３２に対向するように配置されている。コンデンサ電極１１Ｃの開放端には入力用導体４１が接続され、コンデンサ電極１２Ｃの開放端には出力用導体４２が接続されている。入力用導体４１は、誘電体基板３１の任意の側面方向に延在し、その側面において入力端が表出している。出力用導体４２は、誘電体基板３１の任意の側面方向に延在し、その側面において出力端が表出している。入力用導体４１を介して不平衡信号が入力され、出力用導体４２を介して不平衡信号が出力される。
＜第２の変形例＞
【００３７】
以上では、全体として２つの１／４波長共振器１，２同士が結合された構成について説明したが、３以上の１／４波長共振器同士を結合した構成にすることも可能である。
【００３８】
図１１は、全体として４つの１／４波長共振器同士を結合した構成例を示している。図１の構成に比べて、第３の１／４波長共振器３の開放端側の線路を構成する第３の独立線路部分１３と、第４の１／４波長共振器４の開放端側の線路を構成する第４の独立線路部分１４とをさらに備えている。接続用線路部分２１は三叉形状とされ、接続用線路部分２１の第１の端部側で第１および第２の独立線路部分１１，１２の他端同士が直接的に接続されている。接続用線路部分２１の第２の端部側で第３および第４の独立線路部分１３，１４の他端同士が直接的に接続されている。接続用線路部分２１の第３の端部は、共通線路部分２２の一端に接続されている。これにより、全体として接続用線路部分２１を介して各独立線路部分１１，１２，１３，１４が共通線路部分２２の一端に共通接続されている。
【００３９】
ここで、図示したように共通線路部分２２の長さをｘ１とし、接続用線路部分２１の第１の端部と共通線路部分２２の一端までの長さをｘ２とする。接続用線路部分２１の第２の端部と共通線路部分２２の一端までの長さもｘ２とする。図１１の構成の場合、第１の１／４波長共振器１と第２の１／４波長共振器２との間の結合は、ｘ１＋ｘ２の長さを調整することで行うことができる。第３の１／４波長共振器３と第４の１／４波長共振器４との間の結合も同様に、ｘ１＋ｘ２の長さを調整することで行うことができる。第２の１／４波長共振器２と第３の１／４波長共振器３との間の結合は、ｘ１の長さを調整することで行うことができる。
【００４０】
図１２は、全体として３つの１／４波長共振器同士を結合した構成例を示している。この場合の結合調整は図１の構成と同様、共通線路部分２２の長さｘを調整することで行うことができる。
［第２の実施の形態］
【００４１】
次に、本発明の第２の実施の形態に係る共振器について説明する。
図１３は、本実施の形態に係る共振器の基本構成を示している。本実施の形態は、両端短絡型の１／２波長共振器の接続構造に関するものである。なお、上記第１の実施の形態に係る共振器と同一の構成部分には同一の符号を付し、適宜説明を省略する。
【００４２】
この共振器は等価的に、全体として２つの１／４波長共振器１Ａ，２Ａ同士が結合された構成とされている第１の１／４波長共振器部分５１と、全体として第１の１／４波長共振器部分５１と同じ数の１／４波長共振器１Ｂ，２Ｂ同士が結合された構成とされている第２の１／４波長共振器部分５２とを有している。そして等価的には、第１の１／４波長共振器部分５１の開放端と第２の１／４波長共振器部分５２の開放端とが互いに接続された構造とされている。これにより、全体として２つの両端短絡型の１／２波長共振器同士が結合された構成とされている。等価的には、第１の１／４波長共振器部分５１の第１の１／４波長共振器１Ａと第２の１／４波長共振器部分５２の第１の１／４波長共振器１Ｂとで、第１の１／２波長共振器が構成されている。また、第１の１／４波長共振器部分５１の第２の１／４波長共振器２Ａと第２の１／４波長共振器部分５２の第２の１／４波長共振器２Ｂとで、第２の１／２波長共振器が構成されている。
【００４３】
第１の１／４波長共振器部分５１と第２の１／４波長共振器部分５２との構造は、基本的に図１と同様である。すなわち、第１の１／４波長共振器部分５１は、互いに独立して形成され一端が開放端とされた第１および第２の独立線路部分１１Ａ，１２Ａと、各独立線路部分１１Ａ，１２Ａの他端同士を接続する接続用線路部分２１Ａと、接続用線路部分２１Ａを介して各独立線路部分１１Ａ，１２Ａを共通に接地接続（短絡）する共通線路部分２２Ａとを備えている。第２の１／４波長共振器部分５２も同様に、第１および第２の独立線路部分１１Ｂ，１２Ｂと、接続用線路部分２１Ｂと、共通線路部分２２Ｂとを備えている。
【００４４】
この共振器では、２つの両端短絡型の１／２波長共振器を構成する各線路の短絡側の線路部分が共通線路部分２２Ａ，２２Ｂとして共通化され、その共通線路部分２２Ａ，２２Ｂで各１／２波長共振器同士が結合される。線路の一部が共通化されていることにより、小型化が容易となる。また、結合による導体損失も少ない。また、基本的に図４（Ｂ），（Ｃ）を用いて説明した場合と同様の理屈で、共通線路部分２２Ａ，２２Ｂの長さｘを調整することで容易に結合調整が行える。
【００４５】
なお、図１３の構成例では互いの接続部分を境界として、第１の１／４波長共振器部分５１と第２の１／４波長共振器部分５２とが対称線２０に対し対称的な構造とされているが、必ずしも上下対称的な構造となっている必要はない。すなわち、各共振器部分の実効的な長さＬがλ／２に保たれている限りにおいて、非対称な形状にすることができる。
【００４６】
なお、具体的な構造は図示しないが、上記第１の実施の形態において図５〜図７、および図８（Ａ），（Ｂ）に示した構造と同様、この共振器についても例えば誘電体基板３１と導体パターンとを用いた構造とし、例えば誘電体フィルタとして利用することができる。
【００４７】
このように、本実施の形態に係る共振器によれば、両端短絡型の１／２波長共振器同士を結合する場合において共振器同士の結合調整と小型化とが容易となり、かつ導体損失を少なくすることができる。
＜第２の実施の形態の変形例＞
【００４８】
次に、本実施の形態に係る共振器の変形例を説明する。
以上では全体として２つの両端短絡型の１／２波長共振器同士が結合された構成について説明したが、３以上の両端短絡型の１／２波長共振器同士を結合した構成にすることも可能である。
【００４９】
図１４は、全体として４つの両端短絡型の１／２波長共振器同士を結合した構成例を示している。この共振器は等価的に、全体として４つの１／４波長共振器１Ａ，２Ａ，３Ａ，４Ａ同士が結合された構成とされている第１の１／４波長共振器部分５１Ａと、全体として第１の１／４波長共振器部分５１Ａと同じ数の１／４波長共振器１Ｂ，２Ｂ，３Ｂ，４Ｂ同士が結合された構成とされている第２の１／４波長共振器部分５２Ａとを有している。そして等価的には、第１の１／４波長共振器部分５１Ａの開放端と第２の１／４波長共振器部分５２Ａの開放端とが互いに接続された構造とされている。これにより、全体として４つの両端短絡型の１／２波長共振器同士が結合された構成とされている。等価的には、１／４波長共振器１Ａ，１Ｂで、第１の１／２波長共振器が構成され、１／４波長共振器２Ａ，２Ｂで第２の１／２波長共振器が構成されている。また、１／４波長共振器３Ａ，３Ｂで、第３の１／２波長共振器が構成され、１／４波長共振器４Ａ，４Ｂで第４の１／２波長共振器が構成されている。
【００５０】
第１の１／４波長共振器部分５１Ａと第２の１／４波長共振器部分５２Ａとの構造は、基本的に図１１と同様である。すなわち、第１の１／４波長共振器部分５１Ａは、図１３の構成における第１の１／４波長共振器部分５１に比べて、第３の１／４波長共振器３Ａの開放端側の線路を構成する第３の独立線路部分１３Ａと、第４の１／４波長共振器４Ａの開放端側の線路を構成する第４の独立線路部分１４Ａとをさらに備えている。そして、全体として接続用線路部分２１Ａを介して各独立線路部分１１Ａ，１２Ａ，１３Ａ，１４Ａが共通線路部分２２Ａの一端に共通接続されている。第２の１／４波長共振器部分５２Ａも同様に、図１３の構成における第２の１／４波長共振器部分５２に比べて、第３の１／４波長共振器３Ｂの開放端側の線路を構成する第３の独立線路部分１３Ｂと、第４の１／４波長共振器４Ｂの開放端側の線路を構成する第４の独立線路部分１４Ｂとをさらに備えている。そして、全体として接続用線路部分２１Ｂを介して各独立線路部分１１Ｂ，１２Ｂ，１３Ｂ，１４Ｂが共通線路部分２２Ｂの一端に共通接続されている。
【００５１】
ここで、この共振器も図１１の共振器と同様にして、１／４波長共振器１Ａ，１Ｂで構成された第１の１／２波長共振器と１／４波長共振器２Ａ，２Ｂで構成された第２の１／２波長共振器との間の結合は、図示したｘ１＋ｘ２の長さを調整することで行うことができる。第３の１／２波長共振器と第４の１／２波長共振器との間の結合も同様に、ｘ１＋ｘ２の長さを調整することで行うことができる。第２の１／２波長共振器と第３の１／２波長共振器との間の結合は、ｘ１の長さを調整することで行うことができる。
【００５２】
図１５は、全体として３つの両端短絡型の１／２波長共振器同士を結合した構成例を示している。この共振器は等価的に、全体として３つの１／４波長共振器１Ａ，２Ａ，３Ａ同士が結合された構成とされている第１の１／４波長共振器部分５１Ｂと、全体として第１の１／４波長共振器部分５１Ｂと同じ数の１／４波長共振器１Ｂ，２Ｂ，３Ｂ同士が結合された構成とされている第２の１／４波長共振器部分５２Ｂとを有している。そして等価的には、第１の１／４波長共振器部分５１Ｂの開放端と第２の１／４波長共振器部分５２Ｂの開放端とが互いに接続された構造とされている。これにより、全体として３つの両端短絡型の１／２波長共振器同士が結合された構成とされている。等価的には、１／４波長共振器１Ａ，１Ｂで、第１の１／２波長共振器が構成され、１／４波長共振器２Ａ，２Ｂで第２の１／２波長共振器が構成されている。また、１／４波長共振器３Ａ，３Ｂで、第３の１／２波長共振器が構成されている。
【００５３】
第１の１／４波長共振器部分５１Ｂと第２の１／４波長共振器部分５２Ｂとの構造は、基本的に図１２と同様である。この場合の結合調整は図１３の構成と同様、共通線路部分２２Ａ，２２Ｂの長さｘを調整することで行うことができる。
［第３の実施の形態］
【００５４】
次に、本発明の第３の実施の形態に係る共振器について説明する。
図１６は、本実施の形態に係る共振器の基本構成を示している。本実施の形態は、両端開放型の１／２波長共振器の接続構造に関するものである。なお、上記第１の実施の形態に係る共振器と同一の構成部分には同一の符号を付し、適宜説明を省略する。
【００５５】
図１６の共振器の構成を説明する前に、図１７を参照して、一般的な両端開放型の１／２波長共振器における電界分布の特徴について説明する。図１７に示したように両端開放型の１／２波長共振器では、長手方向の中央において電界がゼロとなり、その部分で等価的に短絡された状態と考えることができる。また、両端部において電界の大きさの絶対値は最大となる。等価的に短絡された部分を含む対称線２０に対し、対称的な位置での電界の位相は１８０°異なり、電界の正負の符号は互いに逆になる。
【００５６】
図１６に戻って、この共振器の構造を説明すると、この共振器は等価的に、全体として２つの１／４波長共振器１Ａ，２Ａ同士が結合された構成とされている第１の１／４波長共振器部分６１と、全体として第１の１／４波長共振器部分６１と同じ数の１／４波長共振器１Ｂ，２Ｂ同士が結合された構成とされている第２の１／４波長共振器部分６２とを有している。ここで、上述したように両端開放型の１／２波長共振器では中央において等価的に短絡された状態と考えることができるので、図１６の共振器は等価的には、第１の１／４波長共振器部分６１の短絡端と第２の１／４波長共振器部分６２の短絡端とが互いに接続された構造であると考えることができる。これにより、全体として２つの両端開放型の１／２波長共振器同士が結合された構成とされている。等価的には、第１の１／４波長共振器部分６１の第１の１／４波長共振器１Ａと第２の１／４波長共振器部分６２の第１の１／４波長共振器１Ｂとで、第１の１／２波長共振器が構成されている。また、第１の１／４波長共振器部分６１の第２の１／４波長共振器２Ａと第２の１／４波長共振器部分６２の第２の１／４波長共振器２Ｂとで、第２の１／２波長共振器が構成されている。
【００５７】
第１の１／４波長共振器部分６１と第２の１／４波長共振器部分６２との構造は、等価的には図１と同様である。すなわち、第１の１／４波長共振器部分６１は、互いに独立して形成され一端が開放端とされた第１および第２の独立線路部分１１Ａ，１２Ａからなる第１の独立線路群と、各独立線路部分１１Ａ，１２Ａの他端同士を接続する第１の接続用線路部分２１Ａとを有している。第２の１／４波長共振器部分６２は、互いに独立して形成され一端が開放端とされた第１および第２の独立線路部分１１Ｂ，１２Ｂからなる第２の独立線路群と、各独立線路部分１１Ｂ，１２Ｂの他端同士を接続する第２の接続用線路部分２１Ｂとを有している。そして、第１および第２の接続用線路部分２１Ａ，２１Ｂを介して第１の独立線路群の各独立線路部分１１Ａ，１２Ａの他端と第２の独立線路群の各独立線路部分１１Ｂ，１２Ｂの他端とが、共通線路部分２２によって共通接続されている。各線路部分はＴＥＭ線路であれば良く、ストリップラインなどの導体パターンや誘電体基板内部に形成された貫通導体などで構成することができる。
【００５８】
第１の独立線路群における第１の独立線路部分１１Ａの開放端から第２の独立線路群における第１の独立線路部分１１Ｂの開放端までの長さＬは１／２波長（λ／２）とされている。第１の独立線路群における第２の独立線路部分１２Ａの開放端から第２の独立線路群における第２の独立線路部分１２Ｂの開放端までの長さＬも１／２波長（λ／２）とされている。
【００５９】
この共振器は、等価的に短絡となる短絡部分を境界として、第１の独立線路群側の線路部分と第２の独立線路群側の線路部分とが、短絡部分を含む対称線２０に対し、互いに線対称な構造とされている。これにより、小型化の図られた例えば平衡入出力のフィルタを容易に実現できる。平衡入出力のフィルタの構成例は、後に変形例として説明する。
【００６０】
この共振器では、２つの両端開放型の１／２波長共振器を構成する各線路において、等価的に短絡となる短絡部分側の線路部分が共通線路部分２２として共通化され、その共通線路部分２２で各１／２波長共振器同士が結合される。線路の一部が共通化されていることにより、小型化が容易となる。また、結合による導体損失も少ない。また、基本的に図４（Ｂ），（Ｃ）を用いて説明した場合と同様の理屈で、共通線路部分２２の長さｘを調整することで容易に結合調整が行える。
【００６１】
なお、具体的な構造は図示しないが、上記第１の実施の形態において図５〜図７、および図８（Ａ），（Ｂ）に示した構造と同様、この共振器についても例えば誘電体基板３１と導体パターンとを用いた構造とし、例えば誘電体フィルタとして利用することができる。
【００６２】
このように、本実施の形態に係る共振器によれば、両端開放型の１／２波長共振器同士を結合する場合において共振器同士の結合調整と小型化とが容易となり、かつ導体損失を少なくすることができる。
［第３の実施の形態の変形例］
【００６３】
次に、本実施の形態に係る共振器の変形例を説明する。
＜第１の変形例＞
【００６４】
以上では全体として２つの両端開放型の１／２波長共振器同士が結合された構成について説明したが、３以上の両端開放型の１／２波長共振器同士を結合した構成にすることも可能である。
【００６５】
図１８は、全体として４つの両端開放型の１／２波長共振器同士を結合した構成例を示している。この共振器は等価的に、全体として４つの１／４波長共振器１Ａ，２Ａ，３Ａ，４Ａ同士が結合された構成とされている第１の１／４波長共振器部分６１Ａと、全体として第１の１／４波長共振器部分６１Ａと同じ数の１／４波長共振器１Ｂ，２Ｂ，３Ｂ，４Ｂ同士が結合された構成とされている第２の１／４波長共振器部分６２Ａとを有している。上述したように両端開放型の１／２波長共振器では中央において等価的に短絡された状態と考えることができるので、図１８の共振器は等価的には、第１の１／４波長共振器部分６１Ａの短絡端と第２の１／４波長共振器部分６２Ａの短絡端とが互いに接続された構造であると考えることができる。これにより、全体として４つの両端開放型の１／２波長共振器同士が結合された構成とされている。等価的には、１／４波長共振器１Ａ，１Ｂで、第１の１／２波長共振器が構成され、１／４波長共振器２Ａ，２Ｂで第２の１／２波長共振器が構成されている。また、１／４波長共振器３Ａ，３Ｂで、第３の１／２波長共振器が構成され、１／４波長共振器４Ａ，４Ｂで第４の１／２波長共振器が構成されている。
【００６６】
第１の１／４波長共振器部分６１Ａと第２の１／４波長共振器部分６２Ａとの構造は、等価的には図１１と同様である。すなわち、第１の１／４波長共振器部分６１Ａは、図１６の構成における第１の１／４波長共振器部分６１に比べて、第１の独立線路群として、第３の１／４波長共振器３Ａの開放端側の線路を構成する第３の独立線路部分１３Ａと、第４の１／４波長共振器４Ａの開放端側の線路を構成する第４の独立線路部分１４Ａとをさらに備えている。第２の１／４波長共振器部分６２Ａも同様に、図１６の構成における第２の１／４波長共振器部分６２に比べて、第２の独立線路群として、第３の１／４波長共振器３Ｂの開放端側の線路を構成する第３の独立線路部分１３Ｂと、第４の１／４波長共振器４Ｂの開放端側の線路を構成する第４の独立線路部分１４Ｂとをさらに備えている。そして、第１および第２の接続用線路部分２１Ａ，２１Ｂを介して第１の独立線路群の各独立線路部分１１Ａ，１２Ａ，１３Ａ，１４Ａの他端と第２の独立線路群の各独立線路部分１１Ｂ，１２Ｂ，１３Ｂ，１４Ｂの他端とが、共通線路部分２２によって共通接続されている。
【００６７】
ここで、この共振器も図１１の共振器と同様にして、１／４波長共振器１Ａ，１Ｂで構成された第１の１／２波長共振器と１／４波長共振器２Ａ，２Ｂで構成された第２の１／２波長共振器との間の結合は、図示したｘ１＋ｘ２の長さを調整することで行うことができる。第３の１／２波長共振器と第４の１／２波長共振器との間の結合も同様に、ｘ１＋ｘ２の長さを調整することで行うことができる。第２の１／２波長共振器と第３の１／２波長共振器との間の結合は、ｘ１の長さを調整することで行うことができる。
＜第２の変形例＞
【００６８】
図１９は、第２の変形例に係る共振器の基本構成を示している。この変形例は、図１６の構成に対し、２つの１／２波長共振器の開放端、すなわち各独立線路部分１１Ａ，１２Ａおよび１１Ｂ，１２Ｂの開放端に、他の線路部分の幅よりも大きい幅を有するコンデンサ電極１１Ｃ，１２Ｃを形成したものである。なお、１つの開放端にのみコンデンサ電極が形成された構成であっても良い。
【００６９】
実効的な長さＬを同じにした場合、コンデンサ電極１１Ｃ，１２Ｃを形成することで１／２波長共振器の共振周波数は低くなる。一方で、１／２波長共振器は実効的な長さＬが短いほど共振周波数が高くなる。従って、コンデンサ電極１１Ｃ，１２Ｃを形成しない場合の共振周波数に合わせるとすれば、すなわち、図１６の構成と比べて共振周波数を変化させない構成にするとすれば、コンデンサ電極１１Ｃ，１２Ｃを形成することで共振器としての実効的な長さＬを短くすることができる（Ｌ＜λ／２とすることができる）。これにより、より小型化が可能となる。
＜第３の変形例＞
【００７０】
図２０は、第３の変形例に係る共振器の基本構成を示している。この共振器は、図１６の共振器に対し、平衡信号が入力される一対の平衡入力用導体４１Ａ，４１Ｂと、平衡信号を出力する一対の平衡出力用導体４２Ａ，４２Ｂとをさらに備えている。一対の平衡入力用導体４１Ａ，４１Ｂは、第１の１／４波長共振器１Ａ，１Ｂからなる第１の１／２波長共振器の線路部分に接続されている。一対の平衡出力用導体４２Ａ，４２Ｂは、第２の１／４波長共振器２Ａ，２Ｂからなる第２の１／２波長共振器の線路部分に接続されている。
【００７１】
一対の平衡入力用導体４１Ａ，４１Ｂのうち、一方の導体４１Ａは第１の独立線路群側の線路部分に接続されると共に、他方の導体４１Ｂが第２の独立線路群側の線路部分に接続されている。かつ一方の導体４１Ａと他方の導体４１Ｂとが等価的な短絡部分を含む対称線２０に対し互いに対称的な位置に接続されている。既に図１７を参照して説明したように、両端開放型の１／２波長共振器では対称線２０に対し、対称的な位置での電界の位相は１８０°異なるので、対称的な位置に接続することで一対の平衡出力用導体４１Ａ，４１Ｂから平衡信号を良好に入力することができる。
【００７２】
また、一対の平衡出力用導体４２Ａ，４２Ｂのうち一方の導体４２Ａが第１の独立線路群側の線路部分に接続されると共に、他方の導体４２Ｂが第２の独立線路群側の線路部分に接続されている。かつ一方の導体４２Ａと他方の導体４２Ｂとが等価的な短絡部分を含む対称線２０に対し互いに対称的な位置に接続されている。両端開放型の１／２波長共振器では対称線２０に対し、対称的な位置での電界の位相は１８０°異なるので、対称的な位置に接続することで一対の平衡出力用導体４２Ａ，４２Ｂから平衡信号を良好に出力することができる。
【００７３】
このように一対の平衡入力用導体４１Ａ，４１Ｂと一対の平衡出力用導体４２Ａ，４２Ｂとを備えたことで、小型化の図られた例えば平衡入出力のフィルタを容易に実現できる。
【００７４】
図２１および図２２に、図１９の構成と図２０の構成とを組み合わせた共振器の具体的な構成例を示す。すなわち、図１９におけるコンデンサ電極１１Ｃ，１２Ｃを図２０における１／２波長共振器の開放端に形成した構成の共振器の具体的な構成例を示す。この共振器は、誘電体材料よりなる多層構造の誘電体基板３１を備えている。この多層構造の誘電体基板３１の内部において、接地層となる平面状の第１の導体層３２、第２の導体層３３、および第３の導体層３４とが下層側から順に形成されている。誘電体基板３１の内部にはまた、導体の線路パターンと貫通導体とが形成され、これによりコンデンサ電極１１Ｃ，１２Ｃを含む１／２波長共振器の各線路部分と平衡入力用導体４１Ａ，４１Ｂおよび平衡出力用導体４２Ａ，４２Ｂとが形成されている。
この共振器は、等価的に短絡となる部分（共通線路部分２２の中央部分）を含むＹＸ断面に対し面対称な立体構造とされている。
【００７５】
各導体層３２，３３，３４は、誘電体基板３１における互いに対向する側面に形成された導体パターン４４Ａ，４４Ｂにより導通されている。誘電体基板３１の内部において、第１の導体層３２と第２の導体層３３との間に、共通線路部分２２を構成する導体の線路パターンと、各接続用線路部分２１Ａ，２１Ｂを構成する導体の線路パターンと、各独立線路部分１１Ａ，１２Ａ，１１Ｂ，１２Ｂの一部を構成する導体の線路パターンとが形成されている。
【００７６】
コンデンサ電極１１Ｃ，１２Ｃは、第２の導体層３３と第３の導体層３４との間に形成されている。第２の導体層３３には４つの開口部が設けられ、その４つの開口部を貫通するように４つの貫通導体４３Ａ〜４３Ｄが形成されている。貫通導体４３Ａは、独立線路部分１２Ａを構成する線路パターンの端部とコンデンサ電極１２Ｃの１つとを導通している。貫通導体４３Ｂは、独立線路部分１２Ｂを構成する線路パターンの端部と他のコンデンサ電極１２Ｃとを導通している。貫通導体４３Ｃは、独立線路部分１１Ａを構成する線路パターンの端部とコンデンサ電極１１Ｃの１つとを導通している。貫通導体４３Ｄは、独立線路部分１１Ｂを構成する線路パターンの端部と他のコンデンサ電極１１Ｃとを導通している。
【００７７】
一対の平衡入力用導体４１Ａ，４１Ｂは、誘電体基板３１の任意の側面方向に延在し、その側面において入力端が表出している。貫通導体４３Ｃの底面に一方の平衡入力用導体４１Ａの一端が接続され、貫通導体４３Ｄの底面に他方の平衡入力用導体４１Ｂの一端が接続されている。一対の平衡出力用導体４２Ａ，４２Ｂは、誘電体基板３１の任意の側面方向に延在し、その側面において出力端が表出している。貫通導体４３Ａの途中に一方の平衡出力用導体４２Ａの一端が接続され、貫通導体４３Ｂの途中に他方の平衡出力用導体４２Ｂの一端が接続されている。
【００７８】
なお、コンデンサ電極１１Ｃ，１２Ｃと導体層３３，３４との数を増やし、図示した状態よりも層の数が多い多層構造にしても良い。この場合、コンデンサ電極を挟み込む形で導体層を対向配置して（コンデンサ電極と導体層とが交互に対向配置されるようにして）多層構造とする。これにより、開放端で形成されるキャパシタの容量を大きくすることができ、より小型化に有利となる。また、一対の平衡入力用導体４１Ａ，４１Ｂと一対の平衡出力用導体４２Ａ，４２Ｂとを接続する位置についても、平衡的な位置関係となる場所であれば図示した位置に限定されない。
【００７９】
このような構成により、例えば平衡入出力の誘電体フィルタとして利用することができる。
＜第４の変形例＞
【００８０】
図２３（Ａ），（Ｂ）は、第４の変形例に係る共振器の基本構成を示している。この共振器は、１／２波長共振器における等価的に短絡となる短絡部分を境界として、第１の独立線路群（第１および第２の独立線路部分１１Ａ，１２Ａ）側の線路部分と第２の独立線路群（第１および第２の独立線路部分１１Ｂ，１２Ｂ）側の線路部分とが、互いに短絡部分内の点２０Ｃを回転中心とした回転対称な構造とされている。一対の平衡入力用導体４１Ａ，４１Ｂは、第１の１／４波長共振器１Ａ，１Ｂからなる第１の１／２波長共振器の線路部分に接続されている。一対の平衡出力用導体４２Ａ，４２Ｂは、第２の１／４波長共振器２Ａ，２Ｂからなる第２の１／２波長共振器の線路部分に接続されている。
【００８１】
この構造では、一対の平衡入力用導体４１Ａ，４１Ｂのうち、一方の導体４１Ａは第１の独立線路群側の線路部分に接続されると共に、他方の導体４１Ｂが第２の独立線路群側の線路部分に接続されている。かつ一方の導体４１Ａと他方の導体４１Ｂとが互いに短絡部分内の点２０Ｃを回転中心とした回転対称な位置に接続されている。両端開放型の１／２波長共振器では対称線２０に対し、対称的な位置での電界の位相は１８０°異なるので、対称的な位置に接続することで一対の平衡出力用導体４１Ａ，４１Ｂから平衡信号を良好に入力することができる。
【００８２】
また、一対の平衡出力用導体４２Ａ，４２Ｂのうち一方の導体４２Ａが第１の独立線路群側の線路部分に接続されると共に、他方の導体４２Ｂが第２の独立線路群側の線路部分に接続されている。かつ一方の導体４２Ａと他方の導体４２Ｂとが互いに短絡部分内の点２０Ｃを回転中心とした回転対称な位置に接続されている。両端開放型の１／２波長共振器では対称線２０に対し、対称的な位置での電界の位相は１８０°異なるので、対称的な位置に接続することで一対の平衡出力用導体４２Ａ，４２Ｂから平衡信号を良好に出力することができる。
【００８３】
なお、具体的な構造は図示しないが、図２１に示した構造と同様、この共振器についても例えば誘電体基板３１と導体パターンおよび貫通導体とを用いた構造で実現できる。このような回転対称な立体構造とすることにより、全体としてより小型化を図ることができる。
【００８４】
なお、本発明は上記各実施の形態およびその変形例に限定されず、種々の変更が可能である。例えば上述の各実施の形態においては、例えば図９および図１９に示すように、各独立線路部分の開放端に、他の線路部分の幅よりも大きい幅を有するコンデンサ電極１１Ｃ，１２Ｃを設けた場合について述べたが、本発明はこれに限らず、例えば他の線路部分と同じ幅を有するコンデンサ電極を各独立線路部分の開放端に設けると共に、そのコンデンサ電極に対向するように積層された複数のコンデンサ電極を設け、これら多層化された複数の電極によってコンデンサ電極を形成するようにしても良い。さらに、他の線路部分と同じ幅を有するコンデンサ電極を各独立線路部分の開放端に設けると共に、コンデンサ電極に対向する部分の誘電体の誘電率を大きくするように構成しても良い。
【図面の簡単な説明】
【００８５】
【図１】本発明の第１の実施の形態に係る共振器の基本構成の第１の例を示す説明図である。
【図２】本発明の第１の実施の形態に係る共振器の基本構成の第２の例（Ａ）および第３の例（Ｂ）を示す説明図である。
【図３】本発明の第１の実施の形態に係る共振器の基本構成の第４の例を示す説明図である。
【図４】本発明の第１の実施の形態に係る共振器における結合作用を示す説明図である。
【図５】本発明の第１の実施の形態に係る共振器の第１の具体的な構成例を示す構成図である。
【図６】本発明の第１の実施の形態に係る共振器の第２の具体的な構成例を示す構成図である。
【図７】本発明の第１の実施の形態に係る共振器の第３の具体的な構成例を示す構成図である。
【図８】本発明の第１の実施の形態に係る共振器の第４の具体的な構成例を示す斜視図（Ａ）および断面図（Ｂ）である。
【図９】本発明の第１の実施の形態に係る共振器の第１の変形例を示す説明図である。
【図１０】本発明の第１の実施の形態に係る共振器の第１の変形例の具体的な構成例を示す構成図である。
【図１１】本発明の第１の実施の形態に係る共振器の第２の変形例の第１の構成例を示す説明図である。
【図１２】本発明の第１の実施の形態に係る共振器の第２の変形例の第２の構成例を示す説明図である。
【図１３】本発明の第２の実施の形態に係る共振器の基本構成を示す説明図である。
【図１４】本発明の第２の実施の形態に係る共振器の第１の変形例を示す説明図である。
【図１５】本発明の第２の実施の形態に係る共振器の第２の変形例を示す説明図である。
【図１６】本発明の第３の実施の形態に係る共振器の基本構成を示す説明図である。
【図１７】１／２波長共振器の電界分布を示す説明図である。
【図１８】本発明の第３の実施の形態に係る共振器の第１の変形例を示す説明図である。
【図１９】本発明の第３の実施の形態に係る共振器の第２の変形例を示す説明図である。
【図２０】本発明の第３の実施の形態に係る共振器の第３の変形例を示す説明図である。
【図２１】図１９および図２０に示した共振器の具体的な構成例を示す斜視図である。
【図２２】図１９および図２０に示した共振器の具体的な構成例を示す断面図である。
【図２３】本発明の第３の実施の形態に係る共振器の第４の変形例を示す斜視図（Ａ）および側面図（Ｂ）である。
【図２４】１／４波長共振器の結合方法の第１の例を示す説明図である。
【図２５】１／４波長共振器の結合方法の第２の例を示す説明図である。
【符号の説明】
【００８６】
１，２…１／４波長共振器、１１Ｃ，１２Ｃ…コンデンサ電極、１１，１２…独立線路部分、２１…接続用線路部分、２２…共通線路部分。
【図１】
2006270508.tif 000003
【図２】
2006270508.tif 000004
【図３】
2006270508.tif 000005
【図４】
2006270508.tif 000006
【図５】
2006270508.tif 000007
【図６】
2006270508.tif 000008
【図７】
2006270508.tif 000009
【図８】
2006270508.tif 000010
【図９】
2006270508.tif 000011
【図１０】
2006270508.tif 000012
【図１１】
2006270508.tif 000013
【図１２】
2006270508.tif 000014
【図１３】
2006270508.tif 000015
【図１４】
2006270508.tif 000016
【図１５】
2006270508.tif 000017
【図１６】
2006270508.tif 000018
【図１７】
2006270508.tif 000019
【図１８】
2006270508.tif 000020
【図１９】
2006270508.tif 000021
【図２０】
2006270508.tif 000022
【図２１】
2006270508.tif 000023
【図２２】
2006270508.tif 000024
【図２３】
2006270508.tif 000025
【図２４】
2006270508.tif 000026
【図２５】
2006270508.tif 000027